(57)【特許請求の範囲】
【請求項１】
折り畳み式ハンガーと前記折畳み式ハンガーを壁面などに吊り下げる組立式吊り具とからなる携帯用ハンガーセットであって、前記折畳み式ハンガーは、同じ巾の一方の翼と他方の翼からなり、前記一方の翼の先端部は凹片からなり、前記他方の翼の先端部は凸片からなり、前記凸片と凹片には軸接孔が形成され、前記両翼の先端部の凸片と凹片の基部には夫々当接面を有し、前記軸接孔に使用するピンにはフックを通す孔が形成されており、前記一方の翼の凹片を他方の翼の凸片に嵌合させ、前記軸接孔に前記ピンを通して一方の翼と他方の翼を回動可能に結合し、各々の前記当接面を当接させてハンガーを構成し、前記一方の翼及び他方の翼には、複数の洗濯バサミが付いており、前記組立式吊り具は、壁面に対し直角３角形を形成する為に上下２個の吸入吸盤と上下２本のアームからなり、上部吸入吸盤と上部アームの一方の先端部は前記吸盤を吸着させる為の片に軸着され、前記上部アームの他方の先端部には軸接孔が形成され、下部吸入吸盤を吸着させる片には一方が棒状で他方に軸接孔が形成された下部アームの棒状の先端部を受けるＵ字形受け皿と吊りフックを有し、両端に係止部を有し中央部に吊りフックを有したピンで、前記両アームの軸接孔同士を合わせて回動可能に連結して、吊り具を構成していることを特徴とする携帯用ハンガーセット。
【請求項２】
請求項１に記載の前記携帯用ハンガーセットにおいて、前記組立式吊り具は、下部アームにはフックを掛ける軸又は、凸片を有していることを特徴とする携帯用ハンガーセット。
【発明の詳細な説明】
【技術分野】
【０００１】
本発明品は、折畳式ハンガーと、前記折畳式ハンガーを壁面などに吊り下げる組立式吊り具からなる携帯用ハンガーセットである。
【背景技術】
【０００２】
従来のハンガーはアウトウエアを掛ける事が主な目的であり、ハンガー本体と吊りフックが一体を作り携帯に不便なものが大部分である。
現在、携帯用ハンガーとして公開された特許文献では携帯用とは言え、吊りフックがでている事と、使用目的がセーターなどのアウトウエア類が中心であり、アウトウエアの型崩れを防止することを主な目的としている。
（例えば、特許文献１、特許文献２参照。）
【０００３】
従来の吊り具は大部分が屋外用であり、屋内用としては辛うじて、浴槽の吊糸、ロープの類であり、時としてドアのノブ・桟にハンガーを掛けて急場を凌ぐ位である。
現在、簡易携帯物干し具で公開された特許文献では、三角定規の底辺にピンで止めた吸盤が２個ついたものがあるが、吸盤と３角定規を単にピン止めているだけである為、壁面に対し３角定規のふら付きが生じて洗濯物が壁面に触れる恐れがあり、ハンガーを掛ける位置も一ヶ所のみの構造である。
（例えば、特許文献３参照。）
【０００４】
【特許文献１】特開平９−８４６８４号公報
【特許文献２】昭６２−２９０４１５号公報
【特許文献２】特開平８−７１２９６号公報
【発明の開示】
【発明が解決しようとする課題】
【０００５】
上記の様に、従来のハンガーや、吊り具では携帯に不便な事と、旅行先や病院の部屋の中で簡単に多数のＴシャツや下着類・靴下類などを干す事が出来ない。
【課題を解決するための手段】
【０００６】
携帯用ハンガーセットは折り畳み式ハンガーと前記折畳み式ハンガーを壁面などに吊り下げる組立式吊り具とから構成され、前記折畳み式ハンガーは、同じ巾の一方の翼と他方の翼からなり、前記一方の翼の先端部は凹片からなり、前記他方の翼の先端部は凸片からなり、前記凸片と凹片には軸接孔が形成され、前記両翼の先端部の凸片と凹片の基部には夫々当接面を有し、前記軸接孔に使用するピンにはフックを通す孔が形成されており、前記一方の翼の凹片を他方の翼の凸片に嵌合させ、前記軸接孔に前記ピンを通して一方の翼と他方の翼を回動可能に結合し、各々の前記当接面を当接させてハンガーを構成している携帯用ハンガーセット。
【０００７】
前記記載の折畳み式ハンガーにおいて、一方の翼及び他方の翼には、複数の洗濯バサミを付けても良い。
【０００８】
前記記載の携帯用ハンガーセットにおいて、前記組立式吊り具は、壁面に対し直角３角形を形成する為に上下２個の吸入吸盤と上下２本のアームからなり、上部吸入吸盤と上部アームの一方の先端部は前記吸盤を吸着させる為の片に軸着され、前記上部アームの他方の先端部には軸接孔が形成され、下部吸入吸盤を吸着させる片には一方が棒状で他方に軸接孔が形成された下部アームの棒状の先端部を受けるＵ字形受け皿と吊りフックを有し、両端に係止部を有し中央部に吊りフックを有したピンで、前記両アームの軸接孔同士を合わせて回動可能に連結して、吊り具を構成している組立式吊り具を持つ携帯用ハンガーセット。
【０００９】
前記組立式吊り具において、下部アームにはフックを掛ける軸又は、凸片を有しても良い。
【発明の効果】
【００１０】
前記、折畳式ハンガーと前記組み立て式吊具をセットにする事により、旅行先のホテルや病院の部屋などで、壁面、タイル、ガラスなどを利用し、簡単に多数の下着類などの洗濯物を干す事が出来る様になった。
【００１１】
吸入吸盤を使用する事で通常の吸盤より壁面などに対し、より安定した接着力を有し、組み立て時、上下２個の吸引吸盤と、直角３角形を構成する２本のアームはガッチリと固定され、壁面と吊りフック、及び吊りフック同士の空間を常に確保出来る。
【００１２】
ホテルでは連泊以外はクリーニングを出すことが難しい状況であるが、前記携帯用ハンガーセットを使用することで、出張や旅行時には必要最小限の衣類で済み、多数の衣料を持ち運ぶ苦痛が軽減できるようになった。
【００１３】
携帯用ハンガーセットの様に折畳式ハンガーと組建式吊り具がセットとなった商品は今まで市場に無く、収納時のスペースは縦２２〜２３ｃｍ、横９〜１０ｃｍ程度でB5版以下の大きさであり、旅行鞄、ブリーフケースに無理なく収められ、旅館ホテルなどが提供するタオルセット入れにスッポリ入る大きさに合わせているので抵抗感なく持ち運べる様になった。
【発明を実施するための最良の形態】
【００１４】
コンパクトで可能な限り多くのＴシャツや下着・靴下類を干すと言う目的を、最小の部品点数で、安価に提供することを実現した。
【００１５】
図１は本発明携帯用ハンガーセットにおける折畳式ハンガーＡの分解平面図であり、図２は分解斜視図であり、材質はプラスチックや金属を用いるので極めて低廉に製造することができる。ハンガー本体Ａ一方の翼８の先端部の凹片１の一例を示すと、凹の全幅が１１ｍｍ、凹部分のへこんだすき間が４ｍｍ、凹部の縁の１枚の厚みが３，３ｍｍ、外形の直径は２８ｍｍ程度あれば良く、他方の翼９の先端部の凸片２の一例を示すと、凸の全幅が１１ｍｍ、凸の飛び出した部分の厚みが３，３ｍｍ、外形の直径は２８ｍｍ程度あれば上記の凹片にうまく嵌合する、凹片１、と凸片２を接続する孔３は直径が１１ｍｍ程度で、先端が係止部になったピン４は直径が１０ｍｍ程度であれば、一方の翼８及び他方の翼９は回転することが出来、フックを通す孔５は直径が８ｍｍ程度であり、前記両翼８、９の先端部の凹片１と凸片２の基部には夫々当接面６、７を有し、当接することで本体Ａのハンガー角度を形成している。
【００１６】
図３は携帯用ハンガーセットにおける折畳式ハンガーＡの組立て平面図である。
一方の翼８の凹片１を他方の翼９の凸片２に嵌合させ、両翼８、９の軸接孔３にピン４を通して一方の翼８と他方の翼９を回動可能に結合し、各々の当接面６、及び７を当接させて、折り畳み式ハンガーＡを構成する。
【００１７】
本体Ａ両翼の当接角度は１１０度〜１３０度位が適当である。
【００１８】
本体Ａの一方の翼８、と他方の翼９には複数の洗濯バサミを付けても良い。
【００１９】
図４は携帯用ハンガーセットにおける折畳み式ハンガー折畳時平面図である。
折り畳み時、本体Ａは一方の翼８と他方の翼９は接続ピン４を中心として中央部を折り曲げられて開いた時の約半分の長さとなる。
【００２０】
図５は、本発明携帯用ハンガーセットにおける組み立て式吊り具Ｂの分解斜視図であって、材質はプラスチックや金属を用い、吸入吸盤は市販品を用いることができる。
本体Ｂは壁面２１に対し直角３角形を形成するため、上部吸入吸盤２２を吸着させるための片２４と、上部アーム２５の一方の先端部２６は軸着され、長さ１８，５ｃｍ程度の前記上部アーム２５の他方の先端部２７には直径７ｍｍ程度の軸接孔３０が形成される。
下部吸入吸盤２３を吸着させる片３７には一方が棒状で他方に直径７ｍｍ程度の軸接孔３０が形成された長さ２０，５ｃｍ程度の下部アーム２８の棒状の先端部３６を受ける受け皿３８と吊りフック３９を有している。
両端が係止部３２、３３で中央部に吊りフック３４を有した直径６ｍｍ程度のピン３１で、前記両アーム２５，２８の軸接孔３０同士を合わせて回動可能に連結して構成した携帯用ハンガーセットにおける組立式吊り具。
【００２１】
図６は携帯用ハンガーセットにおける組み立て式吊り具Ｂの組立て平面図である。
壁面２１に、上部吸入吸盤２２を押し、前記上部吸入吸盤２２を吸着させるための片２４に接着されている上部アーム２５を回動することで、前記片２４が動いて前記上部吸入吸盤２２は壁面に吸着される。
【００２２】
ピン３１に形成された両端の係止部３２及び３３を、上部アーム２５の他先端部２７の軸接孔３０と、下部アーム２５の他先端部２９の軸接孔３０の内側から通すことで、両アーム２５、２８は前記ピン３１に有す吊りフック３４を中心に挟んだ状態で連結される。
【００２３】
壁面２１に下部吸入吸盤２３を吸着し、前記下部吸入吸盤２３を吸着させるための片３７に形成された受け皿３８に、下部アーム２８の棒状の先端部３６を入れることで壁面２１に対して３角形を構成する携帯用ハンガーセットの組立て式吊り具ができる。
【００２４】
携帯用ハンガーセットにおける組立て式吊り具Ｂは壁面２１に対し、直角３角形を形成し、上部吸入吸盤２２は上部アーム２５に斜め上に引っ張られる力が発生し、下部吸入吸盤２３は下部アーム２８に押し付けられる力が発生して、荷重が壁面２１に押し付けられるので、全体の保持力は上下２個の吸入吸盤２２、２３を足した数値より大きい保持力を有す様になる。
【００２５】
下部アーム２８には軸３５や凸片を形成することで軸接孔の空いた吊りフック４０や従来のハンガーを多く掛けることができる。
【００２６】
図７は前記折畳式ハンガーＡと前記組立式吊り具Ｂの組み合わせた携帯用ハンガーセットＣを示す斜視図である。
この斜視図では接続ピン３１、下部アーム２８、下部吸入吸盤２３の３ヶ所に組立式ハンガーＡを吊り下げるフック３４、４０、３９、を設けた例を示している。
【図面の簡単な説明】
【００２７】
【図１】携帯用ハンガーセットの折畳み式ハンガーの分解平面図
【図２】携帯用ハンガーセットの折畳み式ハンガーの分解斜視図
【図３】携帯用ハンガーセットの折畳み式ハンガー組立平面図
【図４】携帯用ハンガーセットの折畳み式ハンガー折畳み平面図
【図５】携帯用ハンガーセットの組立式吊り具の分解斜視図
【図６】携帯用ハンガーセットの組立式吊り具の組立平面図
【図７】携帯用ハンガーセット斜視図
【符号の説明】
【００２８】
Ａ  携帯用ハンガーセットの折畳み式ハンガー本体
Ｂ  携帯用ハンガーセット組立式吊り具本体
Ｃ  携帯用ハンガーセット
１  一方の翼の凹片になった先端部
２  他方の翼の凸片になった先端部
３  凹片と凸片を接続する軸接孔
４  先端が掛止部になった接続ピン
５  接続ピンに空いたフックを通す孔
６  一方の翼の凹片の基部にある当接面
７  他方の翼の凸片の基部にある当接面
８  一方の翼
９  他方の翼
１０  洗濯バサミ
２１  壁面
２２  上部吸入吸盤
２３  下部吸入吸盤
２４  上部吸入吸盤を吸着させるための片
２５  上部アーム
２６  上部吸入吸盤に軸着された上部アームの一方の先端部
２７  上部アームの他先端部
２８  下部アーム
２９  下部アームの他先端部
３０  上部アーム先端部と下部アーム先端部に形成された軸接孔
３１  上部アームと下部アームを結合するピン
３２  ピンの一方の掛止部
３３  ピンの他方の掛止部
３４  ピン中央部に形成された吊りフック
３５  吊りフックの孔を通す軸
３６  下部アームの棒状の先端部
３７  下部吸入吸盤を吸着させるための片
３８  下部吸入吸盤を吸着させるための片に形成された受け皿
３９  下部吸入吸盤を吸着させるための片に形成された吊りフック    
４０  軸接孔の空いた吊りフック
【要約】
【課題】従来のハンガーや、吊り具では携帯に不便なことと、旅行先や病院の部屋の中で簡単に多数のＴシャツや下着類・靴下類などを干すことが出来ない。
【解決手段】パーツが少なく、展開と収納が簡単で携帯に便利な折畳み式ハンガーと前記折畳み式ハンガーを壁面などに吊りさげる組立式吊り具からなる携帯用ハンガーセットを提供する。
【選択図】図７
【図１】
0003558343.tif 000002
【図２】
0003558343.tif 000003
【図３】
0003558343.tif 000004
【図４】
0003558343.tif 000005
【図５】
0003558343.tif 000006
【図６】
0003558343.tif 000007
【図７】
0003558343.tif 000008